(57)【要約】【課題】弾性に富む芯金の過開拡を簡単な構造で抑制しユーザーの好みにマッチさせる事。【解決手段】先端に丁番（２０）を有し後方にテンプルピース（３０）を具備する弾性に富む金属製の芯金（１１）の丁番とテンプルピース小口部（３１）との間に、中心に前記芯金用の貫通孔を有する平板な鍔状部品（４０）と、過開拡角度決定用のワッシャー（４２）とをそれぞれ少なくとも一個以上連設してテンプル（１０ａ）を形成した。【選択図】図２
2008033205.tif 000002
【特許請求の範囲】
【請求項１】
先端に丁番を有し後方にテンプルピースを具備する弾性に富む金属製の芯金の丁番とテンプルピース小口部との間に、中心に前記芯金用の貫通孔を有する平板な鍔状部品と、過開拡角度決定用のワッシャーとがそれぞれ少なくとも一個以上連なって設けられた事を特徴とする眼鏡用テンプル。
【請求項２】
先端に丁番を有し後方にテンプルピースを具備する弾性に富む金属製の芯金の丁番とテンプルピース小口部との間に、中心に前記芯金用の貫通孔を有し一方の表面にスペーサーとして機能する突起部とその突起部から更に連設された隣接部品接触用の先端部を形成されるようにされ、もう一方の表面には前記突起先端部の形状に略嵌合する開拡角度決定用の凹部が形成された少なくとも二枚以上の平板な鍔状部品が、設けられた事を特徴とする眼鏡用テンプル。
【発明の詳細な説明】
【技術分野】
【０００１】  本発明は眼鏡のテンプルに関する。
【背景技術】
【０００２】  従来より、図１の様に弾性に富む金属、例えばチタン、チタン合金等、をテンプルに使用し、簡単に外側に拡げられて掛け易くした物があった。しかし余りに外側に大きく広げ過ぎると他の部品にも無理が掛かり故障の元のなると共に、少し広がった状態になってしまい眼鏡がガバガバの状態になってしまっていた。そこで、その過開拡を防ぐ為に、特開平０１−９９０２０号や特開２００４−２５２０２６号が提案されている。【０００３】
【特許文献１】特開平０１−９９０２０号
【特許文献２】特開２００４−２５２０２６号
【発明の開示】
【発明が解決しようとする課題】
【０００４】  しかしながら、上記特開平０１−９９０２０号に於いては連結要素の形状が複雑でそれに接するブロックの形状も複雑にならざるを得ず、製造コストが高く付き、又、開拡の角度を予め決めるのは困難であった。又、前記連結要素とブロックの接触面積が全体で接触し摩擦音が大きく不快であった。【０００５】  次に、上記特開２００４−２５２０２６号に於いても、構造が複雑で、ブロック同士が全体で面接触し摺動するのでやはり摩擦音が大きく不快であった。この場合も開拡角度を予め決める事は困難であった。
【課題を解決するための手段】
【０００６】  そこで本発明に於いては上記課題を解決する為に、先ず第一に、先端に丁番を有し後方にテンプルピースを具備する弾性に富む金属製の芯金の丁番とテンプルピース小口部との間に、中心に前記芯金用の貫通孔を有する平板な鍔状部品と、過開拡角度決定用のワッシャーとがそれぞれ少なくとも一個以上連なって設けられた事を特徴とする眼鏡用テンプルの提供を図った。【０００７】  そして、更に先端に丁番を有し後方にテンプルピースを具備する弾性に富む金属製の芯金の丁番とテンプルピース小口部との間に、中心に前記芯金用の貫通孔を有し一方の表面にスペーサーとして機能する突起部とその突起部から更に連設された隣接部品接触用の先端部を形成されるようにされ、もう一方の表面には前記突起先端部の形状に略嵌合する開拡角度決定用の凹部が形成された少なくとも二枚以上の平板な鍔状部品が、設けられた事を特徴とする眼鏡用テンプルの提供を図った。
【発明の効果】
【０００８】  本発明により、弾性に富む芯金の外側への過開拡抑制が簡単に出来る、これはユーザーの好みに適合した掛け心地を追求する為である。又、部品同士の接触面積が小さいので、過開拡する際の軋み音の発生を抑え、そして、安価に製造可能となった。又、装飾としても色んな応用が可能である。
【発明を実施するための最良の形態】
【０００９】  本発明の最良の形態としての実施例を図を参考にして以下に詳述すると。
【実施例１】
【００１０】  図１は、弾性に富む金属製の芯金１１を使用したテンプル１０を表しており、自由に外側に過開拡が可能な状態を示しているが、宣伝パンフレットやコマーシャルフィルムでこのような状態を見せられることによりユーザーもこのような状態を真似をして曲げて人に見せびらかしたりしていると、いかに弾性復帰が良くても次第にテンプルは広がってくる。そして眼鏡フレームが大きくなり合わなくなってくるという問題が起こってきた。そこで、上述した様にその過開拡を防止するために上記特許文献１及び２に記された技術が提案されてきた。【００１１】  図２は本発明の第一の実施例の分解斜視図であり、先端に丁番２０を有し後方にテンプルピース３０を具備する弾性に富む金属製の芯金１１の丁番とテンプルピース小口部３１との間に、中心に前記芯金用の貫通孔４１を有する平板な鍔状部品４０と、過開拡角度決定用のワッシャー４２とがそれぞれ少なくとも一個以上連なって設けられたテンプル１０ａを表している。【００１２】  図３及び図４は図２の状態から組み立て、要部を拡大した平面図であり、作用説明図である。図３は通常の負荷を掛けない状態であり、図４は外側に拡げる負荷を掛けた状態を表している。ここで図３のワッシャー４２の厚さｔの厚い部品を選択すると丁番２０と鍔状部品４０の間、又は鍔状部品同士の間の距離が離される事により図４に示された過開拡角度θが広く取られる事となる。逆に厚さｔの薄い部品を選択すると過開拡角度θが小さく取られる事となる。又、ワッシャー４２の高さｍの大きい部品を使用する事により過開拡角度θは狭く取られテンプルを大きく広げることが出来ない。又逆にワッシャー４２の高さｍの小さい部品を使用する事により過開拡角度θ葉大きく取られ、広げる角度は大きく取れる。これによりユーザーの好みに適合した掛け心地や感覚を提供出来る。ここで、鍔状部品の取り付け数を増減する事により開拡角度の調整は可能であるが、他の部品との調整がうまくいかず困難である。又、鍔状部品４０とワッシャー４２の接触面積も小さく軋み音とかの発生も少ない。【００１３】  図５、図６は本発明の第二の実施例の鍔状部品４３の表面４４と裏面４５の斜視図であり、中心に芯金用の貫通孔４１ａを有し一方の表面にスペーサーとして機能する突起部５０とその突起部から更に連設された隣接部品接触用の先端部５１を形成されるようにされ、もう一方の表面には前記突起先端部の形状に略嵌合する開拡角度決定用の凹部５２が形成されており、これを弾性に富む金属製の芯金の丁番とテンプルピース小口部との間に設け組立てた要部平面図が図７である。更にその図７の要部を拡大したのが図８で、この場合も部品同士の接触面積は小さく軋み音の発生は少なく、そして、過開拡の角度の調整は突起部先端部５１の角度αと凹部５２の角度βにより決定される。【００１４】  上記本発明により、部品の故障の発生を少なく出来、ユーザーの好みに適合した眼鏡の提供が可能となった。
【図面の簡単な説明】
【００１５】
【図１】弾性芯金を有するテンプル平面図
【図２】本発明の第一の実施例の分解斜視図
【図３】図２の状態から組立てた場合の要部拡大平面図
【図４】図３の状態から外側に曲げた状態の要部平面図
【図５】本発明の第二の実施例の表面側斜視図
【図６】本発明の第二の実施例の裏面側斜視図
【図７】本発明の第二の実施例の組立てた状態の要部平面図
【図８】図７の要部拡大平面図
【符号の説明】
１０      テンプル
１１      弾性に富む芯金
２０      丁番
３０      テンプルピース
３１      テンプルピース小口部
４０      鍔状部品
４１      鍔状部品中心貫通孔
４２      ワッシャー
４３      第二実施例の鍔状部品
４４      第二実施例の鍔状部品の表面
４５      第二実施例の鍔状部品の裏面
５０      第二実施例の鍔状部品の表面突起部
５１      第二実施例の鍔状部品の表面接触部
５２      第二実施例の鍔状部品の裏面嵌合凹部
ｔ      ワッシャー厚さ
ｍ      ワッシャー高さ
【図１】
2008033205.tif 000003
【図２】
2008033205.tif 000004
【図３】
2008033205.tif 000005
【図４】
2008033205.tif 000006
【図５】
2008033205.tif 000007
【図６】
2008033205.tif 000008
【図７】
2008033205.tif 000009
【図８】
2008033205.tif 000010